(57)【要約】【課題】従来技術においてユーザアクセシビリティを確保できないという課題を解決するために、ユーザアクセシビリティの実現スキームを提供すること。【解決手段】本発明はユーザアクセシビリティの実現方法及びマルチモード端末を開示する。アイドルモードシグナリング軽減（ＩＳＲ）がアクティブにされ、且つユーザ装置（ＵＥ）がモバイル通信用グローバルシステム／ユニバーサルモバイル通信システム（ＧＳＭ／ＵＭＴＳ）に存在する場合、ユーザ装置のトラッキングエリアアップデート（ＴＡＵ）周期タイマがタイムアウトになった後、ＵＥが移動交換局／ビジターロケーションレジスタ（ＭＳＣ／ＶＬＲ）に対する更新プロセスを開始する。本発明はユーザ体験を向上させる。【選択図】図４
2013503506.tif 000002
【特許請求の範囲】
【請求項１】
ユーザアクセシビリティの実現方法であって、
アイドルモードシグナリング軽減（ＩＳＲ）がアクティブにされ、且つユーザ装置（ＵＥ）がモバイル通信用グローバルシステム（ＧＳＭ）／ユニバーサルモバイル通信システム（ＵＭＴＳ）に存在する場合、前記ユーザ装置のトラッキングエリアアップデート（ＴＡＵ）周期タイマがタイムアウトになった後、前記ユーザ装置が移動交換局（ＭＳＣ）／ビジターロケーションレジスタ（ＶＬＲ）に対する更新プロセスを開始する
ことを特徴とするユーザアクセシビリティの実現方法。
【請求項２】
前記ユーザ装置が前記ＭＳＣ／ＶＬＲに対する更新プロセスを開始することは、
前記ユーザ装置が存在している前記ＧＳＭ／ＵＭＴＳネットワークがネットワーク動作モード１をサポートしている場合、前記ユーザ装置が、Ｇｓインタフェースを再びアクティブにするために、ルーティングエリア／位置エリアの複合エリア更新を開始することを含む
ことを特徴とする請求項１に記載の方法。
【請求項３】
前記ユーザ装置がルーティングエリア／位置エリアの複合エリア更新を開始することは、
前記ユーザ装置がサービング汎用パケット無線サービス（ＧＰＲＳ）サポートノード（ＳＧＳＮ）を介して前記ＭＳＣ／ＶＬＲに対する位置更新を開始してＧｓ関連を確立することを含む
ことを特徴とする請求項２に記載の方法。
【請求項４】
前記ユーザ装置が前記ＭＳＣ／ＶＬＲに対する更新を開始することは、
前記ユーザ装置が存在している前記ＧＳＭ／ＵＭＴＳネットワークがネットワーク動作モード２／３で動作する場合、前記ユーザ装置がＭＳＣ／ＶＬＲに対する周期的位置エリア更新（ＬＡＵ）を開始することを含む
ことを特徴とする請求項１に記載の方法。
【請求項５】
前記ユーザ装置が前記ＭＳＣ／ＶＬＲに対するＬＡＵを開始した後、前記方法は、
前記ユーザ装置がＬＡＵ周期タイマを再起動することを更に含む
ことを特徴とする請求項４に記載の方法。
【請求項６】
前記ユーザ装置は、
前記ユーザ装置が現在アクセスしているＧＳＭ／ＵＭＴＳネットワークエリアの無線システムによって送信されるＬＡＵ周期タイマの時間の長さに従って設定を行う方式と、
前記ユーザ装置の現在ＴＡＵ周期タイマの時間の長さに従って設定を行う方式と、
前記ユーザ装置が現在アクセスしているＧＳＭ／ＵＭＴＳネットワークエリアの無線システムによって送信されるＬＡＵ周期タイマの時間の長さと、ユーザ装置の現在ＴＡＵ周期タイマの時間の長さとのうち、短い方の時間の長さに従って設定を行う方式とのいずれかの１つに従って前記ＬＡＵ周期タイマの時間の長さを設定する
ことを特徴とする請求項５に記載の方法。
【請求項７】
前記ユーザ装置が前記ＭＳＣ／ＶＬＲに対するＬＡＵを開始した後、前記方法は、
前記ＭＳＣ／ＶＬＲによって非明示分離タイマが再起動されることを更に含む
ことを特徴とする請求項４〜６のいずれか１項に記載の方法。
【請求項８】
前記ユーザ装置のＴＡＵ周期タイマがタイムアウトになった後、前記方法は、
前記ユーザ装置がＴＡＵ周期タイマのタイムアウト情報を記録することを更に含む
ことを特徴とする請求項１に記載の方法。
【請求項９】
マルチモード端末であって、
ＧＳＭ／ＵＭＴＳの回線交換（ＣＳ）モジュールと、ＧＳＭ／ＵＭＴＳのパケット交換（ＰＳ）モジュールと、ロングタームエボリューション（ＬＴＥ）モジュールとを含み、前記ＣＳモジュール、前記ＰＳモジュール及び前記ＬＴＥモジュールが周期更新タイマをそれぞれ有し、前記マルチモード端末は、
前記ＬＴＥモジュールにおける周期更新タイマがタイムアウトになり、且つ前記マルチモード端末がＧＳＭ／ＵＭＴＳネットワークに存在する場合、ＭＳＣ／ＶＬＲに対する更新プロセスを開始する開始モジュールを更に含む
ことを特徴とするマルチモード端末。
【請求項１０】
請求項９に記載のマルチモード端末であって、
前記開始モジュールは、
前記マルチモード端末が存在するＧＳＭ／ＵＭＴＳネットワークがネットワーク動作モード１で動作する場合、ルーティングエリア／位置エリアの複合エリア更新を開始する第１の開始サブモジュールと、
前記マルチモード端末が存在するＧＳＭ／ＵＭＴＳネットワークがネットワーク動作モード２／３で動作する場合、ＬＡＵを開始する第２の開始サブモジュールとを含む
ことを特徴とする請求項９に記載のマルチモード端末。
【請求項１１】
前記マルチモード端末は、
前記第２の開始サブモジュールがＬＡＵを開始する場合、前記ＣＳモジュールにおける周期更新タイマを再起動する起動モジュールを更に含む
ことを特徴とする請求項１０に記載のマルチモード端末。
【請求項１２】
前記マルチモード端末は、
前記ユーザ装置のＴＡＵ周期タイマがタイムアウトになった後、前記ＬＴＥモジュールの周期更新タイマのタイムアウト情報を記録する記録モジュールを更に含む
ことを特徴とする請求項９に記載のマルチモード端末。
【発明の詳細な説明】
【技術分野】
【０００１】
本発明は、移動通信分野に関し、特に、ユーザアクセシビリティの実現方法及びマルチモード端末に関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）の標準化団体は、現在、パケットスイッチコア（ＰＳ  Ｃｏｒｅ：Ｐａｃｋｅｔ  Ｓｗｉｔｃｈｅｄ  Ｃｏｒｅ）ネットワーク及びユニバーサル移動通信システム無線アクセスネットワーク（ＵＴＲＡＮ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｒａｄｉｏ  Ａｃｃｅｓｓ  Ｎｅｔｗｏｒｋ）に対する発展の研究に専念している。その目的は、発展型パケットスイッチコア（ＥＰＣ：Ｅｖｏｌｖｅｄ  Ｐａｃｋｅｔ  ｓｗｉｔｃｈｅｄ  Ｃｏｒｅ）が高い伝送速度と低伝送遅延を提供できるようにし、同時に、発展型ＵＴＲＡＮ（Ｅ−ＵＴＲＡＮ：Ｅｖｏｌｖｅｄ  ＵＴＲＡＮ）、ＵＴＲＡＮ及びＧＳＭ  ＥＤＧＥ無線アクセスネットワーク（ＧＥＲＡＮ：ＧＳＭ  ＥＤＧＥ  Ｒａｄｉｏ  Ａｃｃｅｓｓ  Ｎｅｔｗｏｒｋ、ここで、モバイル通信用グローバルシステム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＳＭ進化型高速データレート（ＥＤＧＥ：Ｅｎｈａｎｃｅｄ  Ｄａｔａ  Ｒａｔｅ  ｆｏｒ  ＧＳＭ  Ｅｖｏｌｕｔｉｏｎ））などの多種の無線技術のアクセス及び移動性管理をサポートすることにある。この発展型移動通信システムは、発展型パケットシステム（ＥＰＳ：Ｅｖｏｌｖｅｄ  Ｐａｃｋｅｔ  Ｓｙｓｔｅｍ）と呼ばれる。
【０００３】
図１は、従来技術であるＧＳＭ／ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）及びＥＰＳネットワークにおける本発明に関連するネットワークアーキテクチャである。図１に示すように、下記のような装置を含む。
【０００４】
移動局１０１：移動端末（ＭＳ：Ｍｏｂｉｌｅ  Ｔｅｒｍｉｎａｌ）、ユーザ装置（ＵＥ：Ｕｓｅｒ  Ｅｑｕｉｐｍｅｎｔ）とも呼ばれる。２種類の無線ネットワークにアクセスできる端末はデュアルモード端末と呼ばれ、多種類の無線ネットワークにアクセスできる端末はマルチモード端末と呼ばれる。したがって、ＭＳ／ＵＥは、ＧＳＭ／ＵＭＴＳネットワーク及びＥＰＳネットワークにアクセスできるデュアルモード又はマルチモード端末であり、以下、ＵＥ又は端末に統一して表す。
【０００５】
Ｅ−ＵＴＲＡＮ１０２：発展型ＥＰＳネットワークの無線アクセスネットワークであり、速いアップロード及びダウンロード速度、低伝送遅延及び信頼できる無線伝送を提供することができる。Ｅ−ＵＴＲＡＮに含まれるネットワーク要素は、端末にアクセスするために無線リソースを提供する発展型ＮｏｄｅＢ（ｅＮｏｄｅＢ：Ｅｖｏｌｖｅｄ  ＮｏｄｅＢ）である。
【０００６】
移動性管理エンティティ（ＭＭＥ：Ｍｏｂｉｌｉｔｙ  Ｍａｎａｇｅｍｅｎｔ  Ｅｎｔｉｔｙ）１０３は、制御プレーンのエンティティであり、ユーザデータを一時保存するサーバであり、ＵＥ／ユーザ識別子、移動性管理状態、ユーザセキュリティパラメータなどのＵＥコンテキストの管理及び保存、ユーザへの一時識別子の割り当て、並びに、ＵＥが当該トラッキングエリア又は当該ネットワークに存在する場合、当該ユーザに対する認証に関与する。ＭＭＥは、主に、ＵＥがＥ−ＵＴＲＡＮにアクセスする場合のアクセス制御及び移動性管理などに関与する。
【０００７】
ＧＥＲＡＮ／ＵＴＲＡＮ１０４：従来のＧＳＭ／ＵＭＴＳネットワークの無線アクセスネットワークである。
【０００８】
ＧＳＭ／ＵＭＴＳネットワークは、回線交換（ＣＳ：Ｃｉｒｃｕｉｔ  Ｓｗｉｔｃｈｉｎｇ）ドメインとパケット交換（ＰＳ：Ｐａｃｋｅｔ  Ｓｗｉｔｃｈｉｎｇ）ドメインとに分けられる。
【０００９】
サービング汎用パケット無線サービス（ＧＰＲＳ：Ｇｅｎｅｒａｌ  Ｐａｃｋｅｔ  Ｒａｄｉｏ  Ｓｅｒｖｉｃｅ）サポートノード（ＳＧＳＮ：Ｓｅｒｖｉｎｇ  ＧＰＲＳ  Ｓｕｐｐｏｒｔ  Ｎｏｄｅ）１０５：ＧＰＲＳ  ＳＧＳＮは、ＧＳＭ／ＵＭＴＳネットワークのＰＳドメインにおける制御ネットワーク要素であり、主な役割は、ＵＥの位置情報を記録し、且つＵＥとゲートウェイＧＰＲＳサポートノード（ＧＧＳＮ：Ｇａｔｅｗａｙ  ＧＰＲＳ  Ｓｕｐｐｏｒｔｉｎｇ  Ｄｏｄｅ）との間の移動パケットデータの送受信を行うことである。ＳＧＳＮは、主に、ＵＥがＧＳＭ／ＵＭＴＳネットワークのＰＳドメインにアクセスする場合のアクセス制御及び移動性管理などに関与する。
【００１０】
移動交換局（ＭＳＣ：Ｍｏｂｉｌｅ  Ｓｗｉｔｃｈｉｎｇ  Ｃｅｎｔｅｒ）／ビジターロケーションレジスタ（ＶＬＲ：Ｖｉｓｉｔｏｒ  Ｌｏｃａｔｉｏｎ  Ｒｅｇｉｓｔｅｒ）１０６：当該ＭＳＣ／ＶＬＲは、３ＧＰＰ  Ｒ４（Ｒｅｌｅａｓｅ  ４）以降の新機能エンティティＭＳＣ  Ｓｅｒｖｅｒであってもよい。本発明では、ＭＳＣ／ＶＬＲに統一して表す。ＭＳＣ／ＶＬＲはＧＳＭ／ＵＭＴＳネットワークのＣＳドメインにおけるコアネットワークのネットワーク要素であり、ＣＳドメインのユーザアクセス、移動性、及び音声とショートメッセージサービスの制御に関与する。
【００１１】
サービングゲートウェイ（Ｓ−ＧＷ：Ｓｅｒｖｉｎｇ  Ｇａｔｅｗａｙ）とパケットデータネットワークゲートウェイ（Ｐ−ＧＷ：Ｐａｃｋｅｔ  Ｄａｔａ  Ｎｅｔｗｏｒｋ  Ｇａｔｅｗａｙ）１０７：Ｓ−ＧＷは、ユーザプレーンのエンティティであり、ユーザプレーンのデータのルーティング処理に関与する。Ｐ−ＧＷは、ＵＥがパケットデータネットワーク（ＰＤＮ：Ｐａｃｋｅｔ  Ｄａｔａ  Ｎｅｔｗｏｒｋ）にアクセスするためのゲートウェイ機能に関与する。Ｐ−ＧＷとＳ−ＧＷは、同一の物理エンティティに設けてもよく、異なる物理エンティティに別々に設けてもよい。
【００１２】
キャリアインターネットプロトコル（ＩＰ：Ｉｎｔｅｒｎｅｔ  Ｐｒｏｔｏｃｏｌ）ネットワークとは、キャリアがサービスを提供するためのネットワークである。ＩＰネットワークの一例であるＩＰマルチメディアコアネットワークサブシステム（ＩＭＳ：ＩＰ  Ｍｕｌｔｉｍｅｄｉａ  Ｃｏｒｅ  Ｎｅｔｗｏｒｋ  Ｓｕｂｓｙｓｔｅｍ）は、キャリアＩＰネットワークの１種である。ＩＭＳは、３ＧＰＰによって提案された、セッションイニシエーションプロトコル（ＳＩＰ：Ｓｅｓｓｉｏｎ  Ｉｎｉｔｉａｔｉｏｎ  Ｐｒｏｔｏｃｏｌ）に基づくネットワークアーキテクチャであり、開放的で柔軟なサービス環境を構築し、マルチメディアアプリケーションをサポートし、そしてユーザに対して豊富なマルチメディアサービスを提供するものである。
【００１３】
３ＧＰＰ移動通信システムにおいて、端末がアイドル状態である場合に、ネットワークが確実に端末を呼び出すことができ、且つ端末にアクセスできない場合にネットワークリソースを浪費させないために、端末とコアネットワークのネットワーク要素は、それぞれタイマを起動させる。端末におけるタイマは、周期更新タイマと呼ばれ、コアネットワークのネットワーク要素におけるタイマは、非明示分離タイマと呼ばれる。端末の周期更新タイマがタイムアウトになった後に周期更新が開始され、端末とコアネットワークのネットワーク要素が、それぞれのタイマを再起動する。一般的に、コアネットワークのネットワーク要素の非明示分離タイマの時間は、端末の周期更新タイマの時間より少し長い。したがって、コアネットワークのネットワーク要素の非明示分離タイマがタイムアウトになったが、端末から更新メッセージを受信していない場合、ユーザが現在カバーエリア外にいて端末にアクセスできないことが分かるので、当該端末を引き続き再呼び出ししても、エアインターフェースリソースを浪費することとなる。この際、コアネットワークのネットワーク要素はユーザの状態を非明示分離状態に設定する。このようなメカニズムの役割は、ユーザにアクセス可能であることを確かめることである。
【００１４】
端末は、ＧＳＭ／ＵＭＴＳネットワークのＣＳドメイン、ＧＳＭ／ＵＭＴＳネットワークのＰＳドメイン及びＥＰＳネットワークに対して、それぞれ独立した周期更新タイマを有する。即ち、ＧＳＭ／ＵＭＴＳネットワークのＣＳドメインに対する周期的位置エリア更新（ＬＡＵ：Ｌｏｃａｔｉｏｎ  Ａｒｅａ  Ｕｐｄａｔｅ）タイマ、ＧＳＭ／ＵＭＴＳネットワークのＰＳドメインに対する周期的ルーティングエリア更新（ＴＡＵ：Ｒｏｕｔｉｎｇ  Ａｒｅａ  Ｕｐｄａｔｅ）タイマ及びＥＰＳネットワークの周期的トラッキングエリアアップデート（ＴＡＵ：Ｔｒａｃｋｉｎｇ  Ａｒｅａ  Ｕｐｄａｔｅ）タイマである。コアネットワークのネットワーク要素であるＭＳＣ／ＶＬＲ、ＳＧＳＮ及びＭＭＥは、それぞれ３つの非明示分離タイマを使う。
【００１５】
ＧＳＭ／ＵＭＴＳネットワークにおいて、ＵＥは、ＣＳとＰＳアタッチ／更新をそれぞれ行うことができる。ＵＥは、ＣＳとＰＳアタッチ／更新をそれぞれ行う場合、ＧＥＲＡＮ／ＵＴＲＡＮに対してＬＡＵ及びＲＡＵ要求メッセージをそれぞれ送信する。ＭＳＣ／ＶＬＲは、ＧＥＲＡＮ／ＵＴＲＡＮを介してＬＡＵ要求メッセージを受信し、ＣＳドメインのアタッチ／更新プロセスを行う。ＳＧＳＮは、ＧＥＲＡＮ／ＵＴＲＡＮを介してＲＡＵ要求メッセージを受信し、ＰＳドメインのアタッチ／更新プロセスを行う。前記ＣＳドメイン及びＰＳドメインに対してアタッチ／更新をそれぞれ行う方式は、無線リソースをそれぞれ利用し、シグナル交換を行う必要があるそのため、ＭＳＣ／ＶＬＲとＳＧＳＮとの間にＧｓインタフェースを導入する。
【００１６】
Ｇｓインタフェースを導入する際、交換性とネットワーク配置の柔軟性などを考慮して、ネットワークモード１、２、３を導入する。ネットワークがモード１で動作する場合、ＵＥはＲＡＵ／ＬＡＵの複合プロセスを介して更新を行い、ＭＳＣ／ＶＬＲとＳＧＳＮとの間にはＧｓ関連が存在する。ネットワークがモード２／３で動作する場合、ＵＥは、ＲＡＵプロセス及びＬＡＵプロセスをそれぞれ行う。
【００１７】
ＵＥがＥ−ＵＴＲＡＮにアクセスする場合に、呼び出し及びショートメッセージなどのＣＳサービスを行うために、ＭＭＥとＭＳＣ／ＶＬＲとの間にもＳＧｓインタフェースを導入する。
【００１８】
同一時刻において、ユーザは、ＭＳＣ／ＶＬＲにおける１つのＧｓ関連又は１つのＳＧｓ関連のみを有する。
【００１９】
Ｇｓ関連の関係は、アタッチ又はルーティングエリア／位置エリアの複合エリア更新を介して確立され、ＳＧｓ関連の関係は、アタッチ又はトラッキングエリア／位置エリアの複合エリア更新を介して確立される。アタッチ又はルーティングエリア／位置エリアの複合エリア更新において、あるいは、アタッチ又はトラッキングエリア／位置エリアの複合エリア更新において、ＵＥは、まずＳＧＳＮ／ＭＭＥにおいて、アタッチ（ａｔｔａｃｈ）又は更新を行い、そしてアタッチ／更新のタイプに応じて、ＳＧＳＮ／ＭＭＥは、ＭＳＣ／ＶＬＲに対するＣＳアタッチ又は更新を開始し、且つＭＳＣ／ＶＬＲに対してＧｓ／ＳＧｓ関連関係を確立する。図２にそのフローチャートを示す。
【００２０】
図２は、従来技術に係るＧＳ／ＳＧｓインタフェースによって確立された相互作用のフローチャートであり、図２に示すように、下記のステップＳ２０２〜ステップＳ２０８を含む。
【００２１】
ステップＳ２０２：ＵＥはＳＧＳＮ／ＭＭＥに登録／更新の複合要求メッセージを送信する。
【００２２】
ステップＳ２０４：ＳＧＳＮ／ＭＭＥはＭＳＣ／ＶＬＲにＣＳ登録要求メッセージを送信する。
【００２３】
ステップＳ２０６：ＭＳＣ／ＶＬＲはＳＧＳＮ／ＭＭＥにＣＳ登録応答メッセージを送信する。
【００２４】
ステップＳ２０８：ＳＧＳＮ／ＭＭＥはＵＥに登録／更新の複合応答メッセージを送信し、ＳＧＳＮ／ＭＭＥとＭＳＣ／ＶＬＲとの間に、ＧＳ／ＳＧｓインタフェースを確立する。
【００２５】
その後、ＵＥは、移動した後で、ルーティングエリア更新又はトラッキングエリアアップデートを開始し、現在の位置情報をＳＧＳＮ／ＭＭＥに通知する。ユーザの位置エリア識別子（ＬＡＩ：Ｌｏｃａｔｉｏｎ  Ａｒｅａ  Ｉｄｅｎｔｉｔｙ）が変わった場合も、ＵＥが、ルーティングエリア／位置エリアの複合エリア更新又はトラッキングエリア／位置エリアの複合エリア更新を開始し、それからＳＧＳＮ／ＭＭＥがＭＳＣを更新し、これによって、ＭＳＣにおけるユーザのＬＡＩが正しいことを確認する。Ｇｓ／ＳＧｓ関連の関係を確立した後、ＭＳＣ／ＶＬＲ及び端末におけるＣＳのＬＡＵ周期タイマが無効になり、端末ユーザのアクセシビリティが、ＰＳドメインのＲＡＵ／ＴＡＵ周期タイマによって保証される。これにより、端末は周期的な位置エリア更新を行う必要がない。
【００２６】
Ｅ−ＵＴＲＡＮ配置の初期には、ＧＥＲＡＮ／ＵＴＲＡＮとＥ−ＵＴＲＡＮとによってカバーされたエリアが存在する。ユーザが、ＧＥＲＡＮ／ＵＴＲＡＮとＥ−ＵＴＲＡＮとによってカバーされたエリアに存在する場合、ユーザがＧＥＲＡＮ／ＵＴＲＡＮとＥ−ＵＴＲＡＮとの間で、ネットワークを繰り返し選択して登録を開始することによって生じる過剰なエアインタフェースシグナリングを低減させるために、３ＧＰＰは、アイドルモードシグナリング軽減（ＩＳＲ：Ｉｄｌｅ  ｍｏｄｅ  Ｓｉｇｎａｌｉｎｇ  Ｒｅｄｕｃｔｉｏｎ）を定義する。ＩＳＲにおける主な目的は、ＵＥがＳＧＳＮとＭＭＥに同時に登録を行うことである。ＳＧＳＮとＭＭＥとがユーザのコンテキスト情報を保存し、ＵＥも二つのネットワークの登録情報を保存する。したがって、ＵＥが２つのネットワークの間でネットワークを再選択する場合、ＵＥの現在のルーティングエリア又は現在のトラッキングエリアのリストが登録されていない限り、ＴＡＵ及びＲＡＵプロセスを行う必要がない。ＩＳＲを行う場合、ユーザがアクセスシステムを変更すると、更新が開始されない。したがって、ユーザがアイドル状態にある場合、コアネットワークは、ＵＥがどのアクセスシステムに存在するのか分からない。この際、ＳＧＳＮ及びＭＭＥの両方において、同時にユーザを呼び出す必要がある。ＩＳＲをアクティブにした場合、ＭＭＥとＳＧＳＮが、お互いにアドレス情報を保存するため、ＭＳＣ／ＶＬＲがユーザを呼び出す際に、ＭＭＥ又はＳＧＳＮが相手を検出し、且つ呼び出しを開始することができる。
【００２７】
図３は、従来の技術に係るＳＧｓのアクティブ化、及びＭＭＥがＭＳＣ／ＶＬＲからの呼び出しを受信する相互作用のフローチャートである。図３に示すように、ＩＳＲのアクティブ化、ＭＳＣ／ＶＬＲとＭＭＥとの間のＳＧｓアクティブ化、及びＭＭＥがＭＳＣ／ＶＬＲからの呼び出しを受信する相互作用のプロセスは、下記のステップＳ３０２〜ステップＳ３１０を含む。
【００２８】
ステップＳ３０２：ＭＳＣ／ＶＬＲがＳＧｓインタフェースを介してＭＭＥに対する呼び出しを開始する。
【００２９】
ステップＳ３０４：ユーザの位置情報に応じて、また、ＵＥが位置するｅＮｏｄｅＢを介して、ＭＭＥがＵＥに対するＣＳ呼び出しを開始する。
【００３０】
ステップＳ３０６：ＩＳＲが既にアクティブにされ、且つＵＥユーザがアイドル状態にあるため、ＭＭＥに保存されたＳＧＳＮの位置情報に応じて、ＭＭＥがＭＳＣ／ＶＬＲからの呼び出しメッセージをＳＧＳＮに転送する。
【００３１】
ステップＳ３０８：ＳＧＳＮが、その端末ユーザの位置情報及び呼び出しメッセージ中の位置情報に応じて、ＵＥが位置するＧＥＲＡＮ／ＵＴＲＡＮを介して、ＵＥに対するＣＳ呼び出しを開始する。
【００３２】
ステップＳ３１０：ＵＥが、従来技術に従ってフォールバック又はセル再選択等を行い、ＧＳＭ／ＵＭＴＳネットワークのＣＳドメインからの呼び出し応答を返信する。
【００３３】
ＩＳＲをアクティブにしたＵＥに対して、ＵＥがアイドル状態の場合、ＴＡＵ及びＲＡＵ周期タイマをそれぞれ維持する必要がある。ＵＥのＴＡＵ周期タイマがタイムアウトになった際に、ＵＥが現在ロングタームエボリューション（ＬＴＥ：Ｌｏｎｇ−Ｔｅｒｍ  Ｅｖｏｌｕｔｉｏｎ）に存在している場合、ＵＥは周期的ＴＡＵを開始する。ＵＥが現在ＬＴＥに存在していない場合、ＵＥによる周期的ＴＡＵの開始は引き起こされない。この場合、ＵＥが、ＬＴＥがカバーするエリアに戻る時に、周期的ＴＡＵを開始することを記憶する必要がある。ＵＥのＲＡＵ周期タイマのタイムアウトに対する処理は、ＴＡＵ周期タイマのタイムアウトに対する処理と同様である。
【００３４】
以上の背景に基づいて、下記のような場面を考慮する。ＵＥが、まず、ＧＳＭ／ＵＭＴＳネットワークで登録を行い、それから、ＥＰＳネットワークで登録を行う。前記登録を完了した後、ＭＭＥとＭＳＣ／ＶＬＥとの間にＳＧｓインタフェースが確立され、且つアクティブにされる。ＭＭＥとＭＳＣ／ＶＬＥとの間にはＩＳＲ関連が確立される。ＵＥが、ＳＧＳＮ、ＭＭＥ及びＭＳＣ／ＶＬＥにおいて登録を行い、これらのネットワークにおける登録情報を保存し、且つＩＳＲがアクティブであることを確認する。ＵＥが、ＧＳＭ／ＵＭＴＳネットワークに移動し、且つ現在ルーティングエリアが登録された場合、ＩＳＲが既にアクティブであるため、ＵＥはＲＡＵプロセスを開始しない。ＵＥの現在ルーティングエリア識別子（ＲＡＩ：Ｒｏｕｔｉｎｇ  Ａｒｅａ  Ｉｄｅｎｔｉｔｙ）が識別される。この場合、ＭＭＥとＭＳＣ／ＶＬＲとの間のＳＧｓインタフェースが依然として存在し、ＭＭＥにおける非明示分離タイマも依然として動作している。端末におけるＥ−ＵＴＲＡＮのＴＡＵ周期タイマがタイムアウトになった後、ＵＥはＧＳＭ／ＵＭＴＳネットワークに存在しているため、ＭＭＥに対する周期的ＴＡＵを開始しない。このように、一定時間経過後、非明示分離タイマがタイムアウトになったことにより、ＭＭＥは端末を非明示に分離し、ＭＳＣ／ＶＬＲに分離指示メッセージを送信してＳＧｓインタフェースを無効にすることができる。ＭＳＣ／ＶＬＲが分離指示メッセージを受信し、依然としてユーザにアクセス可能であると考えてその非明示分離タイマを起動する場合、さらに、ＧＳＭ／ＵＭＴＳネットワークがネットワークモード１で動作する場合、ＭＳＣ／ＶＬＲとＳＧＳＮとの間のＧｓインタフェースをアクティブにできず、且つ、ＵＥが開始したＲＡＵ周期プロセスが複合更新ではないため、ＳＧＳＮはＭＳＣ／ＶＬＲに更新を送信しない。ＧＳＭ／ＵＭＴＳネットワークがネットワークモード２又は３で動作する場合、ＵＥは、ＬＡＵ周期タイマが既に切られているために起動が必要であることを知る方法がない。次いで、ＭＳＣ／ＶＬＲにおける非明示分離タイマがタイムアウトになった場合、ＭＳＣ／ＶＬＲはユーザにアクセス不可であると認め、その端末を非明示分離であると識別する。ＭＣＳ／ＶＬＲが、ＭＭＥより送信された分離指示メッセージを受信した際に、ユーザにアクセス不可であると認めると、その端末を直接非明示分離として識別する。その結果、上記のどの状況によってＭＳＣ／ＶＬＲが端末を非明示分離として識別するかに関わらず、ＵＥは、実際にはネットワークにアクセス可能であっても、受信ユーザとして、呼び出しやショートメッセージなどを受信することができない。
【００３５】
従来技術において、上記課題を解決してユーザアクセシビリティを確保できる解決策はまだ提案されていない。
【発明の概要】
【発明が解決しようとする課題】
【００３６】
従来技術においてユーザアクセシビリティを確保できないという課題を解決するために本発明を提出する。したがって、本発明の主な目的は、従来技術においてユーザアクセシビリティを確保できないという課題を解決するために、ユーザアクセシビリティの実現スキームを提供することである。
【課題を解決するための手段】
【００３７】
前記目的を実現するために、本発明の１つの側面によれば、ユーザアクセシビリティの実現方法が提供される。
【００３８】
本発明に係るユーザアクセシビリティの実現方法は、ＩＳＲがアクティブにされ、且つＵＥがＧＳＭ／ＵＭＴＳに存在している場合、ＵＥのＴＡＵ周期タイマがタイムアウトになった後、ＵＥがＭＳＣ／ＶＬＲに対する更新プロセスを開始する方法を含む。
【００３９】
好ましくは、ＵＥがＭＳＣ／ＶＬＲに対する更新を開始することは、ＵＥが存在しているＧＳＭ／ＵＭＴＳネットワークがネットワーク動作モード１をサポートする場合、Ｇｓインタフェースを再びアクティブにするために、ルーティングエリア／位置エリアの複合エリア更新を開始することを含む。
【００４０】
好ましくは、ＵＥがルーティングエリア／位置エリアの複合エリア更新を開始することは、ＵＥがＳＧＳＮを介してＭＳＣ／ＶＬＲに対する位置更新を開始し、Ｇｓ関連を確立することを含む。
【００４１】
好ましくは、ＵＥがＭＳＣ／ＶＬＲに対する更新を開始することは、ＵＥが存在しているＧＳＭ／ＵＭＴＳネットワークがネットワーク動作モード２／３で動作する場合、ＵＥが、ＭＳＣ／ＶＬＲに対するＬＡＵを開始することを含む。
【００４２】
好ましくは、ＵＥがＭＳＣ／ＶＬＲに対するＬＡＵを開始した後、上記方法は、ＵＥがＬＡＵ周期タイマを再起動することを更に含む。
【００４３】
好ましくは、ＵＥがＭＳＣ／ＶＬＲに対するＬＡＵを開始した後、上記方法は、ＭＳＣ／ＶＬＲが非明示分離タイマを再起動することを更に含む。
【００４４】
好ましくは、ＵＥは、下記のような方式のいずれかの１つに従ってＬＡＵ周期タイマの時間の長さを設定する。１つ目は、ＵＥが現在アクセスしているＧＳＭ／ＵＭＴＳネットワークエリアの無線システムによって送信されるＬＡＵ周期タイマの時間の長さに従って設定を行う方式である。２つ目は、ＵＥの現在ＴＡＵ周期タイマの時間の長さに従って設定を行う方式である。最後は、ＵＥが現在アクセスしているＧＳＭ／ＵＭＴＳネットワークエリアの無線システムによって送信されるＬＡＵ周期タイマの時間の長さと、ＵＥの現在ＴＡＵ周期タイマの時間の長さとのうち、短い方の時間の長さに従って設定を行う方式である。
【００４５】
好ましくは、ＵＥのＴＡＵ周期タイマがタイムアウトになった後、上記方法は、ＵＥが、ＴＡＵ周期タイマのタイムアウト情報を記録することを更に含む。
【００４６】
上記目的を実現するために、本発明のもう１つの側面によれば、マルチモード端末が提供される。
【００４７】
本発明に係るマルチモード端末は、ＧＳＭ／ＵＭＴＳのＣＳモジュールと、ＧＳＭ／ＵＭＴＳのＰＳモジュールと、ＬＴＥモジュールとを含み、ここで、ＣＳモジュール、ＰＳモジュール及びＬＴＥモジュールのそれぞれが、周期更新タイマを有する。当該マルチモード端末は、ＬＴＥモジュールにおける周期更新タイマがタイムアウトになり、且つマルチモード端末がＧＳＭ／ＵＭＴＳネットワークに存在する場合、ＭＳＣ／ＶＬＲに対する更新プロセスを開始する開始モジュールを更に含む。
【００４８】
好ましくは、開始モジュールは、マルチモード端末が存在するＧＳＭ／ＵＭＴＳネットワークがネットワーク動作モード１で動作する場合、ルーティングエリア／位置エリアの複合エリア更新を開始する第１の開始サブモジュールと、マルチモード端末が存在するＧＳＭ／ＵＭＴＳネットワークがネットワーク動作モード２／３で動作する場合、ＬＡＵを開始する第２の開始サブモジュールとを含む。
【００４９】
好ましくは、前記端末は、第２の開始サブモジュールがＬＡＵを開始する場合に、ＣＳモジュールにおける周期更新タイマを再起動する起動モジュールを更に含む。
【００５０】
好ましくは、上記端末は、ＵＥのＴＡＵ周期タイマがタイムアウトになった後、ＬＴＥモジュールの周期更新タイマのタイムアウト情報を記録する記録モジュールを更に含む。
【００５１】
本発明によれば、ＩＳＲがアクティブにされ、且つ、ＵＥがＧＳＭ／ＵＭＴＳに存在している場合、ＵＥのＴＡＵ周期タイマがタイムアウトになった後、ＵＥがＭＳＣ／ＶＬＲに対する更新プロセスを開始する。これにより、従来技術におけるユーザアクセシビリティを保証できないという課題を解決し、ユーザ体験を更に向上させる。
【図面の簡単な説明】
【００５２】
【図１】従来技術に係るＰＳとＥＰＳネットワークにおける本発明に関連するネットワークのアーキテクチャを示す図である。
【図２】従来技術に係るＧＳ／ＳＧｓインタフェースの確立プロセスの相互作用を示すフローチャートである。
【図３】従来技術に係るＳＧｓのアクティブ化、及びＭＭＥがＭＳＣ／ＶＬＲからの呼び出しを受信する相互作用のフローチャートである。
【図４】本発明の実施例１に係るユーザアクセシビリティを確保する方法を示す図である。
【図５】本発明の実施例２に係るユーザアクセシビリティを確保する方法の相互作用のフローチャートである。
【図６】本発明の実施例に係るマルチモード端末の好ましい構造のブロック図である。
【発明を実施するための形態】
【００５３】
ここで説明する図面は、本発明を更に理解するためのものであり、本願の一部となり、本発明の意図を示す実施例及びその説明は、本発明を解釈するためのものであり、本発明を不当に限定しない。
【００５４】
機能の要約
従来技術において、ＳＧｓインタフェースがアクティブにされ、ＩＳＲがアクティブにされ、端末がＧＳＭ／ＵＭＴＳネットワークに存在し、且つ、ＭＭＥにおける非明示タイマがタイムアウトになった後において、ＭＳＣ／ＶＬＲが位置更新メッセージを受信できないためユーザにアクセス不可であると認めるという課題を考慮して、本発明の実施例において、ユーザアクセシビリティを実現するスキームを提供する。当該スキームは、ＩＳＲがアクティブにされ、且つＵＥがＧＳＭ／ＵＭＴＳに存在している場合、ＵＥのＴＡＵ周期タイマがタイムアウトになった後で、ＵＥが、ＭＳＣ／ＶＬＲに対する更新プロセスを開始し、これによって、ユーザアクセシビリティを保証する。
【００５５】
なお、矛盾しない限り、本願における実施例及び実施例における特徴を互いに組み合わせてもよい。以下、図面及び実施例を参照して本発明を詳細に説明する。
【００５６】
実施例
本発明の実施例によれば、ＩＳＲがアクティブにされ、ＵＥがＧＳＭ／ＵＭＴＳに存在している場合、ＵＥのＴＡＵ周期タイマがタイムアウトになった後、ＵＥが、ＭＳＣ／ＶＬＲに対する更新を開始することを含むユーザアクセシビリティの実現方法が提供される。
【００５７】
以下、実例を参照して本発明の実施例の実現プロセスを詳細に説明する。
【００５８】
実施例１
図４は本発明の実施例１に係るＵＥのアクセシビリティを確保する方法を示す図であり、図４に示すように、下記のステップＳ４０２〜ステップＳ４０８を含む。
【００５９】
ステップＳ４０２：ＵＥは、現在ＣＳＧ／ＵＭＴＳネットワークに存在している。ＵＥにおけるＥ−ＵＴＲＡＮ  ＴＡＵ周期タイマがタイムアウトになる。
【００６０】
ステップＳ４０４：ＵＥは、現在ＵＥが存在しているネットワークのモードを判定する。ＵＥが存在しているネットワークのモードがモード１である場合、ステップＳ４０６に進み、ＵＥがしているネットワークのモードがモード２／３である場合、ステップＳ４０８に進む。
【００６１】
ステップＳ４０６：ＵＥが存在しているネットワークのモードがモード１である場合、ＵＥはＧＳＭ／ＵＭＴＳネットワークにおいてルーティングエリア／位置エリアの複合エリア更新を開始し、Ｇｓインタフェースを再びアクティブにする。すなわち、ＵＥはＳＧＳＮを介して、ＭＳＣ／ＶＬＲに対する位置更新を開始し、Ｇｓ関連を確立する。その後、ＭＳＣ／ＶＬＲは、依然としてＳＧＳＮを介してユーザアクセシビリティを検査することができる。
【００６２】
ステップＳ４０８：ＵＥが存在しているネットワークのモードがモード２／３である場合、ＵＥは、ＧＳＭ／ＵＭＴＳネットワークにおいてＬＡＵ要求を開始する。ＭＳＣ／ＶＬＲはＬＡＵ要求を受信した後、非明示分離タイマを再起動し、ＵＥはＬＡＵ周期タイマを再起動する。これにより、ユーザアクセシビリティが保証される。
ここで、ＵＥは、下記の方式に従ってＬＡＵ周期タイマの時間の長さを設定してもよい。
ＵＥが現在アクセスしているＧＳＭ／ＵＭＴＳネットワークエリアの無線システムによって送信されるＬＡＵ周期タイマの時間の長さに従って設定を行い、又は、
ＵＥの現在のＴＡＵ周期タイマの時間の長さに従って設定を行い、又は、
ＵＥが現在アクセスしているＧＳＭ／ＵＭＴＳネットワークエリアの無線システムによって送信されるＬＡＵ周期タイマの時間の長さと、ＵＥの現在のＴＡＵ周期タイマの時間の長さとのうち、短い方の時間の長さに従って設定を行う。
【００６３】
ＴＡＵ周期タイマがタイムアウトになった後、例えば、ネットワークがカバーしていないエリアにＵＥが位置している場合、ＵＥはＧＳＭ／ＵＭＴＳネットワークに存在することができず、ＴＡＵ周期タイマがタイムアウトになったという情報を記録する必要がある。
【００６４】
実施例２
図５は本発明の実施例２に係るＵＥのアクセシビリティを確保する方法の相互作用のフローチャートであり、図５に示すように、下記のステップＳ５０２〜ステップＳ５３６を含む。
【００６５】
ステップＳ５０２：ＵＥは、まずＧＥＲＡＮ／ＵＴＲＡＮを介してルーティングエリア／位置エリアの複合エリアのアタッチを開始する。メッセージにはユーザ識別子が含まれ、ＧＥＲＡＮ／ＵＴＲＡＮは現在のユーザの位置情報をＳＧＳＮに転送する。
【００６６】
ステップＳ５０４：ＳＧＳＮは現在の位置情報に応じて、対応するＭＳＣ／ＶＬＲを検知し、且つ当該ＭＳＣ／ＶＬＲに対するＣＳ登録を開始する。
【００６７】
ステップＳ５０６：ＭＳＣ／ＶＬＲ登録が完了した後、登録された位置情報ＬＡＩ、及びＵＥのためにＭＳＣ／ＶＬＲによって割り当てられた一時移動加入者識別子（ＴＭＳＩ：Ｔｅｍｐｏｒａｒｙ  Ｍｏｂｉｌｅ  Ｓｕｂｓｃｒｉｂｅｒ  Ｉｄｅｎｔｉｔｙ）を含むＳＧＳＮ  ＣＳ登録応答をＳＧＳＮに返信する。
【００６８】
ステップＳ５０８：ＳＧＳＮは、ＭＳＣ／ＶＬＲにおいて登録された位置情報ＬＡＩとＴＭＳＩ、及びＳＧＳＮにおいて登録された位置情報ＲＡＩとＰＳドメインＴＭＳＩ（Ｐ−ＴＭＳＩ：Ｐａｃｋｅｔ  ＴＭＳＩ）を含むアタッチ複合応答メッセージをＵＥに返信する。
【００６９】
ＧＳＭ／ＵＭＴＳネットワークがモード１で動作する場合、ステップＳ５０２〜ステップＳ５０８を介して、ＵＥは、ＳＧＳＮ、ＭＳＣ／ＶＬＲにおける複合登録を完了し、且つＳＧＳＮとＭＳＣ／ＶＬＲとの間にＧｓ関連を確立し、ＧＳインタフェースをアクティブにする。
【００７０】
ＧＳＭ／ＵＭＴＳネットワークがモード２／３で動作する場合、ＵＥとネットワークはステップ５０１ａ及び５０２ａに示されるようなプロセスに従ってアタッチ／更新を行い、ＭＳＣ／ＶＬＲにおけるＵＥのＣＳ登録及びＳＧＳＮにおけるＵＥのＰＳ登録プロセスを完了する。
【００７１】
ステップ５０１ａ：ＵＥがＧＥＲＡＮ／ＵＴＲＡＮを介してＭＳＣ／ＶＬＲに対するＬＡＵプロセスを直接開始する。メッセージにはユーザ識別子が含まれる。ＭＳＣ／ＶＬＲはＣＳ登録処理プロセスを完了し、ＭＳＣにおいて登録されたＵＥの位置情報ＬＡＩ、及びＵＥのためにＭＳＣ／ＶＬＲによって割り当てられたＴＭＳＩを含む位置更新応答メッセージをＵＥに返信する。
【００７２】
ステップ５０２ａ：ＵＥがＧＥＲＡＮ／ＵＴＲＡＮを介してＳＧＳＮに対するアタッチ／更新プロセスを開始する。メッセージにはユーザ識別子が含まれる。ＳＧＳＮはＰＳ登録処理プロセスを完了し、ＳＧＳＮにおいて登録されたＵＥの位置情報ＲＡＩ及び一時ユーザ識別子Ｐ−ＴＭＳＩを含むＰＳアタッチ／更新応答メッセージをＵＥに返信する。
【００７３】
ＧＳＭ／ＵＭＴＳネットワークがモード２／３で動作する場合、前記５０１ａと５０２ａに示すようなプロセスを介して、ＵＥは、ＭＳＣ／ＶＬＲ、ＳＧＳＮにおける登録をそれぞれ完了する。
【００７４】
ステップＳ５１０：Ｅ−ＵＴＲＡＮに移動した後、ＵＥは、結合トラッキングエリア（ＴＡ：Ｔｒａｃｋｉｎｇ  Ａｒｅａ）／ＬＡ更新プロセスを開始し、メッセージにはユーザ識別子Ｐ−ＴＭＳＩ及びＲＡＩが含まれる。
【００７５】
ステップＳ５１２：ＭＭＥは、Ｐ−ＴＭＳＩ及びＲＡＩに応じて、登録した元のＳＧＳＮを検知して、且つＳＧＳＮからＵＥコンテキストを取得する。当該ステップにおいて、ＳＧＳＮとＭＭＥとの間にＩＳＲを確立してもよい。
【００７６】
ステップＳ５１４：トラッキングエリアアップデートメッセージに含まれるグローバル一意一時端末識別子（ＧＵＴＩ：Ｇｌｏｂａｌｌｙ  Ｕｎｉｑｕｅ  Ｔｅｍｐｏｒａｒｙ  ＵＥ  Ｉｄｅｎｔｉｔｙ）及び現在の位置情報に応じて、ＭＭＥが、対応するＭＳＣ／ＶＬＲを検知して、且つ当該ＭＳＣ／ＶＬＲに対するＣＳ更新プロセスを開始する。
【００７７】
ステップＳ５１６：ＭＳＣ／ＶＬＲの登録が完了した後、位置情報ＬＡＩ及びＭＳＣ／ＶＬＲによって割り当てられた一時的ＵＥ識別子ＴＭＳＩを含むＭＭＥ  ＣＳ更新応答がＭＭＥに返信される。
【００７８】
ステップＳ５１８：ＭＭＥが更新を完了した後、ＭＳＣ／ＶＬＲにおいて登録された位置情報ＬＡＩとＴＭＳＩ、及びＭＭＥにおいて登録された位置情報ＴＡＩリストと一時的ＵＥ識別子ＧＵＴＩ、及びＩＳＲアクティブ識別子を含むＴＡ／ＬＡ複合更新応答がＵＥに返信される。
【００７９】
ステップＳ５１０〜ステップＳ５１８を介して、ＵＥは、ＭＭＥにおける登録を完了し、ＭＳＣ／ＶＬＲとＭＭＥとの間にＳＧｓ関連を確立し、且つＩＳＲ機能をアクティブにする。
【００８０】
ステップＳ５２０：ユーザの移動などが原因で、ＵＥは、再びＧＳＭ／ＵＭＴＳネットワークからアクセスするが、ＩＳＲが既にアクティブにされ、且つ現在ルーティングエリアが既に登録されているため、ＲＡＵプロセスを開始しない。
【００８１】
ステップＳ５２２：この際、ＵＥにおいてＥ−ＵＴＲＡＮ  ＴＡＵ周期タイマが依然として動作しているため、一定時間を経た後、当該タイマがタイムアウトになる。
【００８２】
なお、ユーザが存在するＧＳＭ／ＵＭＴＳネットワークエリアのネットワーク動作モードに応じて、次のプロセスのステップが変化する。ネットワーク動作モード１に対して、ステップＳ５２２におけるＴＡＵ周期タイマがタイムアウトになった後、ステップＳ５２４〜ステップＳ５３０の動作が実行される。ネットワーク動作モード２／３に対して、ステップＳ５２２におけるＴＡＵ周期タイマがタイムアウトになった後、ステップＳ５３２〜ステップＳ５３４の動作が実行される。以下、それぞれについて説明する。
【００８３】
まず、ネットワーク動作モード１に対する後続のプロセスは下記の通りである。
【００８４】
ステップＳ５２４：ＵＥがＧＳＭ／ＵＭＴＳネットワークに存在しているため、ＵＥは周期的ＴＡＵを開始できない。本発明によれば、ユーザが存在しているＧＳＭ／ＵＭＴＳネットワークエリアのネットワーク動作モードが１である場合、ＵＥは、ルーティングエリア／位置エリアの複合エリア更新プロセスを開始し、メッセージにはＵＥ識別子ＧＵＴＩ及びＴＡＩが含まれる。
【００８５】
ステップＳ５２６：ＳＧＳＮはＭＳＣ／ＶＬＲに対するＣＳ更新要求を開始する。
【００８６】
ステップＳ５２８：ＭＳＣ／ＶＬＲにおける登録が完了した後、位置情報ＬＡＩ及びＭＡＣ／ＶＬＲによって割り当てられた一時的ＵＥ識別子ＴＭＳＩを含むＣＳ更新応答がＳＧＳＮに返信される。
【００８７】
ステップＳ５３０：ＳＧＳＮが更新を完了した後、ＭＳＣ／ＶＬＲにおいて登録された位置情報ＬＡＩとＴＭＳＩ、及びＳＧＳＮにおいて登録された位置情報ＲＡＩと一時的ＵＥ識別子Ｐ−ＴＭＳＩを含む複合更新応答がＵＥに返信される。
【００８８】
前記ステップによって、ＵＥがＳＧＳＮにおける登録を完了し、ＭＳＣ／ＶＬＲとＳＧＳＮとの間のＧｓ関連を再び確立する。ＭＳＣ／ＶＬＲはＳＧＳＮに基づいてユーザアクセシビリティを検査することができ、従来技術におけるネットワークモード１で動作する場合、非明示分離タイマを止めることで、ユーザアクセシビリティに係る問題を解決し、ユーザアクセシビリティを保証する。
【００８９】
次に、ネットワーク動作モード２／３に対する後続のプロセスは下記の通りである。
【００９０】
ステップＳ５３２：ＵＥが存在しているＧＳＭ／ＵＭＴＳネットワークエリアにおけるネットワーク動作モードが２／３である場合、ＵＥはＣＳドメインを介してＭＳＣ／ＶＬＲに対するＣＳ位置更新要求を開始する。
【００９１】
ステップＳ５３４：ＭＳＣ／ＶＬＲにおける登録を完了した後、ユーザの一時的ユーザ識別子及び位置エリア識別子ＬＡＩを含むＣＳ位置更新応答がＵＥに返信される。
【００９２】
なお、ＵＥはＬＡＵ周期タイマを再起動する。後続のＬＡＵ周期タイマのために、ＵＥは、上記ステップによって、ＭＳＣ／ＶＬＲに対するＬＡＵプロセスを開始する。これによって、従来技術におけるネットワークモード２／３で動作する場合、ユーザアクセシビリティに係る問題が解決され、ユーザアクセシビリティが保証される。
【００９３】
なお、図面のフローチャートに示すステップは、コンピュータで実行可能なコマンドなどのコンピュータシステムにおいて実行してもよく、また、フローチャートに論理的な順序を示したが、場合によっては、この順序と異なった順序に従って、示した又は説明したステップを実行してもよい。
【００９４】
装置実施例
本発明の実施例によれば、ＧＳＭ／ＵＭＴＳのＣＳモジュール６１と、ＧＳＭ／ＵＭＴＳのＰＳモジュール６２と、ＬＴＥモジュール６３とを含むマルチモード端末が提供され、ここで、ＣＳモジュール６１、ＰＳモジュール６２及びＬＴＥモジュール６３は、それぞれ周期更新タイマを有する。本発明の実施例によれば、前記マルチモード端末は、ＬＴＥモジュール６３に接続され、ＬＴＥモジュール６３における周期更新タイマがタイムアウトになり且つマルチモード端末がＧＳＭ／ＵＭＴＳネットワークに存在する場合、ＭＳＣ／ＶＬＲに対する更新プロセスを開始する開始モジュール６４を更に含む。
【００９５】
図６は本発明の実施例に係るマルチモード端末の好ましい構造を示すブロック図である。図６に示すように、当該開始モジュール６４は、第１の開始サブモジュール７１と、第２の開始サブモジュール７２とを含み、当該マルチモード端末は、起動モジュール７３と記録モジュール７４とを更に含む。以下、前記構造について説明する。
【００９６】
ここで、第１の開始サブモジュール７１は、マルチモード端末が存在するＧＳＭ／ＵＭＴＳネットワークがネットワーク動作モード１をサポートする場合、ルーティングエリア／位置エリアの複合エリア更新を開始し、ＧＳインタフェースを再び確立する。その後、ＭＳＣ／ＶＬＲはＳＧＳＮを介して依然としてユーザアクセシビリティを保証し、検査することができる。第２の開始サブモジュール７２は、マルチモード端末が存在するＧＳＭ／ＵＭＴＳネットワークがネットワーク動作モード２／３をサポートする場合、ＬＡＵを開始する。その後、ＭＳＣ／ＶＬＲは非明示分離タイマを再起動し、ＵＥがＬＡＵ周期タイマを再起動する。これによって、ＵＥのアクセシビリティを保証できる。
【００９７】
起動モジュール７３は、第２の開始サブモジュール７２とＣＳモジュール６１とに接続され、第２の開始サブモジュール７２がＬＡＵを開始する場合、ＣＳモジュール６１における周期更新タイマを再起動する。記録モジュール７４は、ＬＴＥモジュール６３に接続され、ＵＥのＴＡＵ周期タイマがタイムアウトになった後、ＬＴＥモジュール６３の周期更新タイマのタイムアウトの情報を記録する。
【００９８】
すなわち、本発明の前記実施例によって、ＩＳＲがアクティブにされ、且つＵＥがＧＳＭ／ＵＭＴＳに存在している場合、ＵＥのＴＡＵ周期タイマがタイムアウトになった後、ＵＥが、ＭＳＣ／ＶＬＲに対する更新プロセスを開始することで、従来技術において、ＳＧｓインタフェースがアクティブにされ、ＩＳＲがアクティブにされ、端末がＧＳＭ／ＵＭＴＳネットワークに存在し、且つＭＭＥにおける非明示タイマがタイムアウトになった後、ＭＳＣ／ＶＬＲが後続で位置更新メッセージを受信できないため、ユーザにアクセス不可であると認めるという問題を解決し、これによりユーザアクセシビリティを保証する。
【００９９】
明らかに、本分野の当業者了解すべきなのは、上記本発明の各モジュール又は各ステップは汎用の計算装置で実現でき、それらを単一の計算装置に統合させてもよく、或いは複数の計算装置で構成されるネットワーク上に割り当ててもよい、ということである。それらは計算装置で実行可能なプログラムコードでも実現できる。したがって、それらを記憶装置に記憶して、計算装置で実行してもよい。或いは、それらを含む複数の集積回路モジュールをそれぞれ作成して実現してもよく、それらを含む単一の集積回路モジュールを作成して実現してもよい。このように、本発明はいかなる特定のハードウェアとソフトウェアの組み合わせにも制限されない。
【０１００】
以上は、本発明の好適な実施例に過ぎず、本発明を制限せず、本分野の当業者に対して、本発明は各種の変更と変化が可能である。本発明の主旨精神と原則内における、いかなる修正、同等の置換、改良等も、本発明の保護範囲内に含まれるべきである。
【図１】
2013503506.tif 000003
【図２】
2013503506.tif 000004
【図３】
2013503506.tif 000005
【図４】
2013503506.tif 000006
【図５】
2013503506.tif 000007
【図６】
2013503506.tif 000008
【国際調査報告】
2013503506.tif 000009
2013503506.tif 000010
2013503506.tif 000011
2013503506.tif 000012
2013503506.tif 000013